(57)【要約】      （修正有）【課題】使用勝手を向上させることができる突っ張り棒機能付きタオル掛けを提供する。【解決手段】突っ張り棒機能付きタオル掛けＴは、第１の端部と第２の端部を有し、長手方向に長い本体１と、前記第１の端部に回動自在に取り付けられた第１の吸盤２と、一部が前記第２の端部に設けられた開口部を介して本体１内に没入され、この没入されず残った残部が本体１外にあって、本体１に対して移動自在に設けられた筒体６と、本体１の外にある筒体６の端部に取り付けられた接続部材８と、この接続部材８に遊嵌して接続部材８の回動を許容すると共に、筒体６の長手方向の移動を許容するように取り付けられた移動部材９と、この移動部材９に回動自在に取り付けられた第２の吸盤２’とを備えている。【選択図】図１
2011183028.tif 000002
【特許請求の範囲】
【請求項１】
第１の端部と第２の端部を有し、長手方向に長い本体と、
前記第１の端部に回動自在に取り付けられた第１の吸盤と、
一部が前記第２の端部に設けられた開口部を介して前記本体内に没入され、この没入されず残った残部が前記本体外にあって、前記本体に対して移動自在に設けられた筒体と、
前記本体の外にある前記筒体の端部に取り付けられた接続部材と、
この接続部材に遊嵌して前記接続部材の回動を許容すると共に、前記接続部材の前記筒体の長手方向の移動を許容するように取り付けられた移動部材と、
この移動部材に回動自在に取り付けられた第２の吸盤とを備えている
ことを特徴とする突っ張り棒機能付きタオル掛け。
【請求項２】
本体内に螺旋状に設けられた案内部材と、 
前記筒体内に設けられ、前記案内部材に案内される被案内部材とを備え、
前記筒体の回転に伴い、前記筒体の前記被案内部材は、前記案内部材に案内され、前記筒体の長手方向に移動する
ことを特徴とする請求項１記載の突っ張り棒機能付きタオル掛け。
【請求項３】
案内部材は、コイル状に形成されたコイルスプリングであり、このコイルスプリングの一端が本体の内壁に固定され、
被案内部材は、筒体内を横断する横断部材か、または、前記筒体の内壁に突出するように設けた突出部である
ことを特徴とする請求項２記載の突っ張り棒機能付きタオル掛け。
【請求項４】
本体は、両端が開口した筒状部材と、この筒状部材の一方の開口部に固定され、前記一方の開口部を閉塞する閉塞部材とからなり、
この閉塞部材に第１の吸盤が回動自在に取り付けられている
ことを特徴とする請求項１記載の突っ張り棒機能付きタオル掛け。
【請求項５】
移動部材に設けられた第１の被ストッパー部と、
接続部材に設けられ、前記第１の被ストッパー部に当接して本体に向かう側の移動を阻止する第１のストッパー部と、
前記移動部材に設けられ、前記第１の被ストッパー部より前記本体に近い側に位置する第２の被ストッパー部と、
前記接続部材に設けられ、前記第１の被ストッパー部より前記本体に近い側に位置すると共に、前記第２の被ストッパー部に当接して前記移動部材が前記接続部材から離脱するのを阻止する第２のストッパー部とを備えている
ことを特徴とする請求項１記載の突っ張り棒機能付きタオル掛け。
【請求項６】
第１の端部と第２の端部を有し、長手方向に長い本体と、
前記第１の端部に回動自在に取り付けられた第１の吸盤と、
一部が前記第２の端部に設けられた開口部を介して前記本体内に没入され、この没入されず残った残部が前記本体外にあって、前記本体に対して移動自在に設けられた筒体と、
前記本体の外にある前記筒体の端部に回動自在に取り付けられた第２の吸盤とを備えている
ことを特徴とする突っ張り棒機能付きタオル掛け。
【請求項７】
第１の端部と第２の端部を有し、長手方向に長い本体と、
第１の吸盤と、
一端に前記第１の吸盤を取り付けると共に、他端に前記本体の第１の端部に装着される第１の装着部を有する第１の取り付け部材と、
この第１の取り付け部材の外側に接続され、前記本体の第１の端部に装着される第１’の装着部を有する第１’の取り付け部材と、
一部が前記第２の端部に設けられた開口部を介して前記本体内に没入され、この没入されず残った残部が前記本体外にあって、前記本体に対して移動自在に設けられた筒体と、
第２の吸盤と、
一端に前記第２の吸盤を取り付けると共に、他端に前記本体の外にある前記筒体の端部に装着される第２の装着部を有する第２の取り付け部材と、
この第２の取り付け部材の外側に接続され、前記本体の外にある前記筒体の端部に装着される第２’の装着部を有する第２’の取り付け部材とを備え、
前記第１’の取り付け部材は、前記第１の装着部が前記第１の端部に装着された時の、前記本体の長手方向に対して、略直角となるように、前記第１の取り付け部材の外側に接続されたものであり、
前記第２’の取り付け部材は、前記第２の装着部が前記本体の外にある前記筒体の端部に装着された時の、前記筒体の長手方向に対して、略直角となるように、前記第２の取り付け部材の外側に接続されたものであり、
前記本体の第１の端部に前記第１の装着部を介して前記第１の取り付け部材を、前記本体の外にある前記筒体の端部に前記第２の装着部を介して前記第２の取り付け部材を、それぞれ装着して突っ張り棒の機能を持たせ、
前記本体の第１の端部に前記第１’の装着部を介して前記第１’の取り付け部材を、前記本体の外にある前記筒体の端部に前記第２’の装着部を介して前記第２’の取り付け部材を、それぞれ装着してタオル掛けの機能を持たせる
ことを特徴とする突っ張り棒機能付きタオル掛け。
【請求項８】
第１の端部と第２の端部を有し、長手方向に長い本体と、
第１の吸盤と、
一端に前記第１の吸盤を取り付けると共に、他端に前記本体の第１の端部に装着される第１の装着部を有する第１の取り付け部材と、
この第１の取り付け部材の外側に接続され、前記本体の第１の端部に装着される第１’の装着部を有する第１’の取り付け部材と、
一部が前記第２の端部に設けられた開口部を介して前記本体内に没入され、この没入されず残った残部が前記本体外にあって、前記本体に対して移動自在に設けられた筒体と、
第２の吸盤と、
前記本体の外にある前記筒体の端部に装着される第２の装着部を有する第２の取り付け部材と、
一端を前記第２の取り付け部材に移動自在に取り付けられ、他端を前記第２の吸盤を取り付ける移動部材と、
前記第２の取り付け部材の外側に接続され、前記本体の外にある前記筒体の端部に装着される第２’の装着部を有する第２’の取り付け部材とを備え、
前記第１’の取り付け部材は、前記第１の装着部が前記第１の端部に装着された時の、前記本体の長手方向に対して、略直角となるように、前記第１の取り付け部材の外側に接続されたものであり、
前記第２’の取り付け部材は、前記第２の装着部が前記本体の外にある前記筒体の端部に装着された時の、前記筒体の長手方向に対して、略直角となるように、前記第２の取り付け部材の外側に接続されたものであり、
前記移動部材の移動方向は、前記第２の装着部が前記筒体の端部に装着された時の、前記筒体の長手方向であり、前記移動部材の前記筒体方向へ所定距離の移動を阻止するストッパーが前記第２の取り付け部材内に設けられ、
前記本体の第１の端部に前記第１の装着部を介して前記第１の取り付け部材を、前記本体の外にある前記筒体の端部に前記第２の装着部を介して前記第２の取り付け部材を、それぞれ装着して突っ張り棒の機能を持たせ、
前記本体の第１の端部に前記第１’の装着部を介して前記第１の取り付け部材を、前記本体の外にある前記筒体の端部に前記第２’の装着部を介して前記第２の取り付け部材を、それぞれ装着してタオル掛けの機能を持たせる
ことを特徴とする突っ張り棒機能付きタオル掛け。
【請求項９】
第１の端部と第２の端部を有し、長手方向に長い本体と、
前記第１の端部に回動自在に取り付けられた第１の吸盤と、
一部が前記第２の端部に設けられた開口部を介して前記本体内に没入され、この没入されず残った残部が前記本体外にあって、前記本体に対して移動自在に設けられた筒体と、
前記本体の外にある前記筒体の端部に回動自在に取り付けられた第２の吸盤とを備え、
前記本体と前記筒体で伸縮自在部材を構成し、
対向する壁面の距離にあわせて前記伸縮自在部材の長さを調整し、前記伸縮自在部材の一方を対向する一方の面に前記第１の吸盤を介して、前記伸縮自在部材の他方を対向する他方の面に前記第２の吸盤を介してそれぞれ突っ張らせて、突っ張り棒の機能を持たせ、
前記第１の吸盤及び前記第２の吸盤を壁面の側に回動させて、前記第１の吸盤及び前記第２の吸盤を前記壁面にそれぞれ吸着させると共に、前記壁面と前記伸縮自在部材との間に間隙を設けてタオル掛けの機能を持たせる
ことを特徴とする伸縮自在部材を突っ張り棒とタオル掛けとに兼用する方法。
【請求項１０】
第１の端部と第２の端部を有し、長手方向に長い本体と、
前記第１の端部に回動自在に取り付けられた第１の吸盤と、
一部が前記第２の端部に設けられた開口部を介して前記本体内に没入され、この没入されず残った残部が前記本体外にある筒体と、
前記本体の外にある前記筒体の端部に回動自在に取り付けられた第２の吸盤と、
前記本体の外周であって、前記第２の端部の近傍に回転自在に取り付けられると共に、内壁に雌ネジを有する回転体と、
前記筒体の外周に遊嵌して取り付けられ、前記雌ねじに螺合する雄ネジを有した雄ネジ体と、
この雄ネジ体に取り付けられ、先端が前記筒体の外周に当接して前記雄ネジ体の移動を規制するストッパーとを備えている
ことを特徴とする突っ張り棒機能付きタオル掛け。
【請求項１１】
第１の端部と第２の端部を有し、長手方向に長い本体と、
前記第１の端部に回動自在に取り付けられた第１の吸盤と、
一部が前記第２の端部に設けられた開口部を介して前記本体内に没入され、この没入されず残った残部が前記本体外にあって、前記本体に対して移動自在に設けられた筒体と、
前記本体と前記筒体とを連結する連結手段と、
前記本体の外にある前記筒体の端部に装着され、外周に雄ネジを有する雄ネジ部材と、
この雄ネジ部材の雄ネジに螺合する雌ネジを内周に有し、先端に突出部を設けた回転部材と、
第２の吸盤と、
先端に前記第２の吸盤を回動自在に取り付け、後端に前記突出部の回転を許容する遊嵌部を設けた取付部材と、
この遊嵌部に前記突出部が回転可能に遊嵌している
ことを特徴とする突っ張り棒機能付きタオル掛け。
【発明の詳細な説明】
【技術分野】
【０００１】
本発明は、突っ張り棒機能付きタオル掛け及び伸縮自在部材を突っ張り棒とタオル掛けとに兼用する方法に係り、特に、使用勝手を向上させることができる突っ張り棒機能付きタオル掛け及び伸縮自在部材を突っ張り棒とタオル掛けとに兼用する方法に関する。
【背景技術】
【０００２】
従来、２個の吸盤により杆体が支持されているタオル掛けがある（例えば、特許文献１参照）。
また、直管の軸方向一端にねじ棒を突設し、該ねじ棒に回動押圧部材を螺合し、該回動押圧部材の回動により支持面に突っ張って支持するようにした突っ張り棒がある（例えば、特許文献２参照）。
【先行技術文献】
【特許文献】
【０００３】
【特許文献１】特開平１０−２２５３９７号公報
【特許文献２】特開平９−２６２１４７号公報
【発明の概要】
【発明が解決しようとする課題】
【０００４】
しかしながら、上述したタオル掛けは、タオル掛けとしての単一の機能しかなく、また、上述した突っ張り棒も、突っ張り棒としての単一の一機能しかなく、何れも機能が単一で使用勝手が良好でないという問題点があった。
【０００５】
本発明は、使用勝手を向上させることができる突っ張り棒機能付きタオル掛け及び伸縮自在部材を突っ張り棒とタオル掛けとに兼用する方法を提供することを目的とする。
【課題を解決するための手段】
【０００６】
請求項１記載の突っ張り棒機能付きタオル掛けは、第１の端部と第２の端部を有し、長手方向に長い本体と、前記第１の端部に回動自在に取り付けられた第１の吸盤と、一部が前記第２の端部に設けられた開口部を介して前記本体内に没入され、この没入されず残った残部が前記本体外にあって、前記本体に対して移動自在に設けられた筒体と、前記本体の外にある前記筒体の端部に取り付けられた接続部材と、この接続部材に遊嵌して前記接続部材の回動を許容すると共に、前記接続部材の前記筒体の長手方向の移動を許容するように取り付けられた移動部材と、この移動部材に回動自在に取り付けられた第２の吸盤とを備えているものである。
【０００７】
また、請求項２記載の突っ張り棒機能付きタオル掛けは、請求項１記載の突っ張り棒機能付きタオル掛けにおいて、本体内に螺旋状に設けられた案内部材と、前記筒体内に設けられ、前記案内部材に案内される被案内部材とを備え、前記筒体の回転に伴い、前記筒体の前記被案内部材は、前記案内部材に案内され、前記筒体の長手方向に移動するものである。
【０００８】
また、請求項３記載の突っ張り棒機能付きタオル掛けは、請求項２記載の突っ張り棒機能付きタオル掛けにおいて、案内部材は、コイル状に形成されたコイルスプリングであり、このコイルスプリングの一端が本体の内壁に固定され、被案内部材は、筒体内を横断する横断部材か、または、前記筒体の内壁に突出するように設けた突出部である。
【０００９】
また、請求項４記載の突っ張り棒機能付きタオル掛けは、請求項１記載の突っ張り棒機能付きタオル掛けにおいて、本体は、両端が開口した筒状部材と、この筒状部材の一方の開口部に固定され、前記一方の開口部を閉塞する閉塞部材とからなり、この閉塞部材に第１の吸盤が回動自在に取り付けられているものである。
【００１０】
また、請求項５記載の突っ張り棒機能付きタオル掛けは、請求項１記載の突っ張り棒機能付きタオル掛けにおいて、移動部材に設けられた第１の被ストッパー部と、接続部材に設けられ、前記第１の被ストッパー部に当接して本体に向かう側の移動を阻止する第１のストッパー部と、前記移動部材に設けられ、前記第１の被ストッパー部より前記本体に近い側に位置する第２の被ストッパー部と、前記接続部材に設けられ、前記第１の被ストッパー部より前記本体に近い側に位置すると共に、前記第２の被ストッパー部に当接して前記移動部材が前記接続部材から離脱するのを阻止する第２のストッパー部とを備えているものである。
【００１１】
また、請求項６記載の突っ張り棒機能付きタオル掛けは、請求項１記載の突っ張り棒機能付きタオル掛けにおいて、第１の端部と第２の端部を有し、長手方向に長い本体と、前記第１の端部に回動自在に取り付けられた第１の吸盤と、一部が前記第２の端部に設けられた開口部を介して前記本体内に没入され、この没入されず残った残部が前記本体外にあって、前記本体に対して移動自在に設けられた筒体と、前記本体の外にある前記筒体の端部に回動自在に取り付けられた第２の吸盤とを備えているものである。
【００１２】
また、請求項７記載の突っ張り棒機能付きタオル掛けは、第１の端部と第２の端部を有し、長手方向に長い本体と、第１の吸盤と、一端に前記第１の吸盤を取り付けると共に、他端に前記本体の第１の端部に装着される第１の装着部を有する第１の取り付け部材と、この第１の取り付け部材の外側に接続され、前記本体の第１の端部に装着される第１’の装着部を有する第１’の取り付け部材と、一部が前記第２の端部に設けられた開口部を介して前記本体内に没入され、この没入されず残った残部が前記本体外にあって、前記本体に対して移動自在に設けられた筒体と、第２の吸盤と、一端に前記第２の吸盤を取り付けると共に、他端に前記本体の外にある前記筒体の端部に装着される第２の装着部を有する第２の取り付け部材と、この第２の取り付け部材の外側に接続され、前記本体の外にある前記筒体の端部に装着される第２’の装着部を有する第２’の取り付け部材とを備え、前記第１’の取り付け部材は、前記第１の装着部が前記第１の端部に装着された時の、前記本体の長手方向に対して、略直角となるように、前記第１の取り付け部材の外側に接続されたものであり、前記第２’の取り付け部材は、前記第２の装着部が前記本体の外にある前記筒体の端部に装着された時の、前記筒体の長手方向に対して、略直角となるように、前記第２の取り付け部材の外側に接続されたものであり、前記本体の第１の端部に前記第１の装着部を介して前記第１の取り付け部材を、前記本体の外にある前記筒体の端部に前記第２の装着部を介して前記第２の取り付け部材を、それぞれ装着して突っ張り棒の機能を持たせ、前記本体の第１の端部に前記第１’の装着部を介して前記第１’の取り付け部材を、前記本体の外にある前記筒体の端部に前記第２’の装着部を介して前記第２’の取り付け部材を、それぞれ装着してタオル掛けの機能を持たせるものである。
【００１３】
また、請求項８記載の突っ張り棒機能付きタオル掛けは、第１の端部と第２の端部を有し、長手方向に長い本体と、第１の吸盤と、一端に前記第１の吸盤を取り付けると共に、他端に前記本体の第１の端部に装着される第１の装着部を有する第１の取り付け部材と、この第１の取り付け部材の外側に接続され、前記本体の第１の端部に装着される第１’の装着部を有する第１’の取り付け部材と、一部が前記第２の端部に設けられた開口部を介して前記本体内に没入され、この没入されず残った残部が前記本体外にあって、前記本体に対して移動自在に設けられた筒体と、第２の吸盤と、前記本体の外にある前記筒体の端部に装着される第２の装着部を有する第２の取り付け部材と、一端を前記第２の取り付け部材に移動自在に取り付けられ、他端を前記第２の吸盤を取り付ける移動部材と、前記第２の取り付け部材の外側に接続され、前記本体の外にある前記筒体の端部に装着される第２’の装着部を有する第２’の取り付け部材とを備え、前記第１’の取り付け部材は、前記第１の装着部が前記第１の端部に装着された時の、前記本体の長手方向に対して、略直角となるように、前記第１の取り付け部材の外側に接続されたものであり、前記第２’の取り付け部材は、前記第２の装着部が前記本体の外にある前記筒体の端部に装着された時の、前記筒体の長手方向に対して、略直角となるように、前記第２の取り付け部材の外側に接続されたものであり、前記移動部材の移動方向は、前記第２の装着部が前記筒体の端部に装着された時の、前記筒体の長手方向であり、前記移動部材の前記筒体方向へ所定距離の移動を阻止するストッパーが前記第２の取り付け部材内に設けられ、前記本体の第１の端部に前記第１の装着部を介して前記第１の取り付け部材を、前記本体の外にある前記筒体の端部に前記第２の装着部を介して前記第２の取り付け部材を、それぞれ装着して突っ張り棒の機能を持たせ、前記本体の第１の端部に前記第１’の装着部を介して前記第１の取り付け部材を、前記本体の外にある前記筒体の端部に前記第２’の装着部を介して前記第２の取り付け部材を、それぞれ装着してタオル掛けの機能を持たせるものである。
【００１４】
また、請求項９記載の伸縮自在部材を突っ張り棒とタオル掛けとに兼用する方法は、第１の端部と第２の端部を有し、長手方向に長い本体と、前記第１の端部に回動自在に取り付けられた第１の吸盤と、一部が前記第２の端部に設けられた開口部を介して前記本体内に没入され、この没入されず残った残部が前記本体外にあって、前記本体に対して移動自在に設けられた筒体と、前記本体の外にある前記筒体の端部に回動自在に取り付けられた第２の吸盤とを備え、前記本体と前記筒体で伸縮自在部材を構成し、対向する壁面の距離にあわせて前記伸縮自在部材の長さを調整し、前記伸縮自在部材の一方を対向する一方の面に前記第１の吸盤を介して、前記伸縮自在部材の他方を対向する他方の面に前記第２の吸盤を介してそれぞれ突っ張らせて、突っ張り棒の機能を持たせ、前記第１の吸盤及び前記第２の吸盤を壁面の側に回動させて、前記第１の吸盤及び前記第２の吸盤を前記壁面にそれぞれ吸着させると共に、前記壁面と前記伸縮自在部材との間に間隙を設けてタオル掛けの機能を持たせるものである。
【００１５】
また、請求項１０記載の突っ張り棒機能付きタオル掛けは、第１の端部と第２の端部を有し、長手方向に長い本体と、前記第１の端部に回動自在に取り付けられた第１の吸盤と、一部が前記第２の端部に設けられた開口部を介して前記本体内に没入され、この没入されず残った残部が前記本体外にある筒体と、前記本体の外にある前記筒体の端部に回動自在に取り付けられた第２の吸盤と、前記本体の外周であって、前記第２の端部の近傍に回転自在に取り付けられると共に、内壁に雌ネジを有する回転体と、前記筒体の外周に遊嵌して取り付けられ、前記雌ねじに螺合する雄ネジを有した雄ネジ体と、この雄ネジ体に取り付けられ、先端が前記筒体の外周に当接して前記雄ネジ体の移動を規制するストッパーとを備えているものである。
【００１６】
また、請求項１１記載の突っ張り棒機能付きタオル掛けは、第１の端部と第２の端部を有し、長手方向に長い本体と、前記第１の端部に回動自在に取り付けられた第１の吸盤と、一部が前記第２の端部に設けられた開口部を介して前記本体内に没入され、この没入されず残った残部が前記本体外にあって、前記本体に対して移動自在に設けられた筒体と、前記本体と前記筒体とを連結する連結手段と、前記本体の外にある前記筒体の端部に装着され、外周に雄ネジを有する雄ネジ部材と、この雄ネジ部材の雄ネジに螺合する雌ネジを内周に有し、先端に突出部を設けた回転部材と、第２の吸盤と、先端に前記第２の吸盤を回動自在に取り付け、後端に前記突出部の回転を許容する遊嵌部を設けた取付部材と、この遊嵌部に前記突出部が回転可能に遊嵌しているものである。
【発明の効果】
【００１７】
請求項１記載の突っ張り棒機能付きタオル掛けによれば、回動自在な第１の吸盤と回動自在な第２の吸盤を壁面に吸着させ、本体の長手方向を壁面に略平行になるように構成してタオル掛けとして利用することができ、また、対向壁面の一方の壁面に回動自在な第１の吸盤を、対向壁面の他方の壁面に回動自在な第２の吸盤を当接すると共に、本体及び筒体の長手方向を対向壁面に略直交になるように構成して突っ張り棒の機能を持たせて、使用勝手を向上させることができ、
特に、突っ張り棒の機能を持たせる際、対向壁面の一方の壁面に回動自在な第１の吸盤を当接させ、対向壁面の他方の壁面に回動自在な第２の吸盤が当接するように移動部材を移動させ、移動後、筒体が移動部材に近づくように手で回転させて筒体に取り付けられた接続部材を介して移動部材を押すように作用させて、対向壁面間に突っ張らせることができる。
つまり、移動部材は、筒体と共に回転する接続部材に遊嵌しているため、筒体及び接続部材が回転しても、移動部材及び第２の吸盤は回転せず、対向壁面間に突っ張り棒を容易に設置して使用勝手を向上させることができる。
【００１８】
また、請求項３記載の突っ張り棒機能付きタオル掛けによれば、前述の請求項１記載の発明の効果に加え、案内部材は、コイル状に形成されたコイルスプリングであるため、コイルスプリングの弾性を利用して壁面間に突っ張り棒を強固に設置することができる。
【００１９】
また、請求項６記載の突っ張り棒機能付きタオル掛けによれば、回動自在な第１の吸盤と回動自在な第２の吸盤を壁面に吸着させ、本体の長手方向を壁面に略平行になるように構成してタオル掛けとして利用することができ、また、対向壁面の一方の壁面に回動自在な第１の吸盤を、対向壁面の他方の壁面に回動自在な第２の吸盤を当接すると共に、本体及び筒体の長手方向を対向壁面に略直交になるように構成して突っ張り棒の機能を持たせて、使用勝手を向上させることができる。
【００２０】
また、請求項７記載の突っ張り棒機能付きタオル掛けによれば、第１の装着部を有する第１の取り付け部材と第１’の装着部を有する第１’の取り付け部材とが接続され、第２の装着部を有する第２の取り付け部材と第２’の装着部を有する第２’の取り付け部材とが接続され、第１の装着部と第１’の装着部とは略直角の位置関係とし、第２の装着部と第２’の装着部とは略直角の位置関係としたため、本体の第１の端部に第１の装着部を介して第１の取り付け部材を、本体の外にある筒体の端部に第２の装着部を介して第２の取り付け部材を、それぞれ装着して突っ張り棒の機能を持たせることができ、また、本体の第１の端部に第１’の装着部を介して第１’の取り付け部材を、本体の外にある筒体の端部に第２’の装着部を介して第２’の取り付け部材を、それぞれ装着してタオル掛けの機能を持たせることができ、使用勝手を向上させることができる。
【００２１】
また、請求項８記載の突っ張り棒機能付きタオル掛けによれば、第１の装着部を有する第１の取り付け部材と第１’の装着部を有する第１’の取り付け部材とが接続され、第２の装着部を有する第２の取り付け部材と第２’の装着部を有する第２’の取り付け部材とが接続され、第１の装着部と第１’の装着部とは略直角の位置関係とし、第２の装着部と第２’の装着部とは略直角の位置関係としたため、本体の第１の端部に第１の装着部を介して第１の取り付け部材を、本体の外にある筒体の端部に第２の装着部を介して第２の取り付け部材を、それぞれ装着して突っ張り棒の機能を持たせることができ、また、本体の第１の端部に第１’の装着部を介して第１’の取り付け部材を、本体の外にある筒体の端部に第２’の装着部を介して第２’の取り付け部材を、それぞれ装着してタオル掛けの機能を持たせることができ、使用勝手を向上させることができる。
特に、突っ張り棒の機能を持たせる際、対向壁面の一方の壁面に第１の吸盤を当接させ、対向壁面の他方の壁面に第２の吸盤が当接するように移動部材を移動させ、移動後、筒体が移動部材に近づくように手で回転させて筒体に取り付けられた第２の装着部を介して移動部材を押すように作用させて、対向壁面間に突っ張らせることができる。
【００２２】
また、請求項９記載の伸縮自在部材を突っ張り棒とタオル掛けとに兼用する方法によれば、対向する壁面の距離にあわせて伸縮自在部材の長さを調整し、前記伸縮自在部材の一方を対向する一方の面に前記第１の吸盤を介して、前記伸縮自在部材の他方を対向する他方の面に前記第２の吸盤を介してそれぞれ突っ張らせて、突っ張り棒の機能を持たせ、
前記第１の吸盤及び前記第２の吸盤を壁面の側に回動させて、前記第１の吸盤及び前記第２の吸盤を前記壁面にそれぞれ吸着させると共に、前記壁面と前記伸縮自在部材との間に間隙を設けてタオル掛けの機能を持たせて、使用勝手を向上させることができる。
【００２３】
また、請求項１０記載の突っ張り棒機能付きタオル掛けによれば、回動自在な第１の吸盤と回動自在な第２の吸盤を壁面に吸着させ、本体の長手方向を壁面に略平行になるように構成してタオル掛けとして利用することができ、また、対向壁面の一方の壁面に回動自在な第１の吸盤を、対向壁面の他方の壁面に回動自在な第２の吸盤を当接すると共に、本体及び筒体の長手方向を対向壁面に略直交になるように構成して突っ張り棒の機能を持たせて、使用勝手を向上させることができ、
特に、突っ張り棒の機能を持たせる際、対向壁面の一方の壁面に回動自在な第１の吸盤を当接させ、対向壁面の他方の壁面に回動自在な第２の吸盤が当接するように本体と筒体とで長さを調節し、その後、ストッパーの先端で雄ネジ体を筒体に固定し、固定後、回転体を第２の吸盤に近づくように回転させて、対向壁面間に突っ張らせることができる。
【００２４】
また、請求項１１記載の突っ張り棒機能付きタオル掛けによれば、回動自在な第１の吸盤と回動自在な第２の吸盤を壁面に吸着させ、本体の長手方向を壁面に略平行になるように構成してタオル掛けとして利用することができ、また、対向壁面の一方の壁面に回動自在な第１の吸盤を、対向壁面の他方の壁面に回動自在な第２の吸盤を当接すると共に、本体及び筒体の長手方向を対向壁面に略直交になるように構成して突っ張り棒の機能を持たせて、使用勝手を向上させることができ、
特に、突っ張り棒の機能を持たせる際、対向壁面の一方の壁面に回動自在な第１の吸盤を当接させ、対向壁面の他方の壁面に回動自在な第２の吸盤が当接するように本体と筒体とで長さを調節し、調節後、連結手段により、本体と筒体とを連結し、その後、回転部材を第２の吸盤に近づくように回転させて、対向壁面間に突っ張らせることができる。
【図面の簡単な説明】
【００２５】
【図１】図１は、本発明の一実施例の突っ張り棒機能付きタオル掛けを「突っ張り棒」として利用した場合の概略的斜視図である。
【図２】図２は、図１の突っ張り棒機能付きタオル掛けを「タオル掛け」として利用した場合の概略的斜視図である。
【図３】図３は、図１の突っ張り棒機能付きタオル掛けの概略的正面図である。
【図４】図４は、図３の４−４線による概略的断面図である。
【図５】図５は、図１の突っ張り棒機能付きタオル掛けを分解して示す概略的分解斜視図である。
【図６】図６は、図１の突っ張り棒機能付きタオル掛けの概略的分解断面図である。
【図７】図７（ａ）は、図１の突っ張り棒機能付きタオル掛けの筒体を伸ばした状態の概略的一部断面図であり、図７（ｂ）は、図７（ａ）の突っ張り棒機能付きタオル掛けの筒体を回転させて、図７（ａ）の突っ張り棒機能付きタオル掛けの長さを短くした状態の概略的一部断面図である。
【図８】図８は、図１の突っ張り棒機能付きタオル掛けを対向壁面間に設置する前の突っ張り前の状態の概略的図である。
【図９】図９は、図８の一部を拡大して示す概略的一部拡大断面図である。
【図１０】図１０は、図９の一部を拡大して示す概略的一部拡大断面図である。
【図１１】図１１は、図８の突っ張り棒機能付きタオル掛けの筒体を回転させて対向壁面間に突っ張って設置した状態の概略的図である。
【図１２】図１２は、図１１の一部を拡大して示す概略的一部拡大断面図である。
【図１３】図１３は、図１２の一部を拡大して示す概略的一部拡大断面図である。
【図１４】図１４（ａ）は、図１の突っ張り棒機能付きタオル掛けを図２の突っ張り棒機能付きタオル掛けに使用形態を変更する過程の概略的平面図であり、図１４（ｂ）は、図１４（ａ）の第１の吸盤及び第２の吸盤を用いて設置面に吸着させた状態の概略的平面図である。
【図１５】図１５（ａ）は、図５の被案内部材の他の実施例の概略的図であり、図１５（ｂ）は、図１５（ａ）の被案内部材が案内部材に案内される状態の概略的図である。
【図１６】図１６（ａ）は、図１５の被案内部材の他の実施例の概略的図であり、図１５（ｂ）は、図１５（ａ）の被案内部材が案内部材に案内される状態の概略的図である。
【図１７】図１７は、図１の他の実施例の突っ張り棒機能付きタオル掛けを「突っ張り棒」として利用した場合の概略的斜視図である。
【図１８】図１８は、図１７の突っ張り棒機能付きタオル掛けを「タオル掛け」として利用した場合の概略的斜視図である。
【図１９】図１９は、図１７の他の実施例の突っ張り棒機能付きタオル掛けを「突っ張り棒」として利用した場合の概略的斜視図で、締め付け途中を示している。
【図２０】図２０は、図１９の一部の概略的断面図である。
【図２１】図２１は、図１９の突っ張り棒機能付きタオル掛けの筒体の本体からの突出量を縮めて突っ張り力を増した上体の「突っ張り棒」として利用した場合の概略的斜視図である。
【図２２】図２２は、図２１の一部の概略的断面図である。
【図２３】図２３は、図２１の突っ張り棒機能付きタオル掛けを「タオル掛け」として利用した場合の概略的斜視図である。
【図２４】図２４は、図１９の他の実施例の突っ張り棒機能付きタオル掛けを「突っ張り棒」として利用した場合の概略的図である。
【図２５】図２５は、図２４の雄ネジ体と筒体との固定を概略的に示す断面図である。
【図２６】図２６は、図２５の雄ネジ体を筒体に固定した後、回転体を壁面Ｂに近づくように回転させる状態を概略的に示す断面図である。
【図２７】図２７は、図２４の他の実施例の突っ張り棒機能付きタオル掛けを「突っ張り棒」として利用した場合の概略的図である。
【図２８】図２８は、図２７の本体と筒体とを連結する連結手段を分解して示す概略的分解斜視図である。
【図２９】図２９は、図２８の２９−２９線による概略的断面図である。
【図３０】図３０（ａ）は、回転部材の作動前の状態の概略的断面図であり、図３０（ｂ）は、回転部材を壁面Ｂの側に近づけた状態の概略的断面図である。
【発明を実施するための形態】
【００２６】
本発明の一実施例の「突っ張り棒機能付きタオル掛け」及び「伸縮自在部材を突っ張り棒とタオル掛けとに兼用する方法」を図面を参照して説明する。
図１に示すＴは、突っ張り棒機能付きタオル掛けで、突っ張り棒機能付きタオル掛けＴは、対向する壁面Ａ、Ｂに突っ張って支持するようにした使用の形態（図１及び図１１参照）と、壁面Ｃに支持されると共に、壁面Ｃに間隔を設けてタオル掛けとしての使用の形態（図２及び図１４参照）とを有する。
１は、図１及び図５に示すように、第１の端部１ａと第２の端部１ｂを有し、長手方向に長い本体で、本体１の第１の端部１ａに、例えば、閉塞部材（取り付け部材）１１、第１の回動部材３を介して第１の吸盤２が回動自在に取り付けられている。
第１の吸盤２は、第１の回動部材３に軸４を介して取り付けられ、第１の回動部材３の開放端部はスカート状となって、押圧時、第１の吸盤２に当接して第１の吸盤２を押し付ける第１の吸盤押さえ３１となっている。
なお、閉塞部材１１は、図４に示すように、本体１の第１の端部１ａの開口部を閉塞するもので、閉塞する手段は、例えば、閉塞部材１１を本体１の第１の端部１ａの開口縁部に圧入されて固定されるようになっている。また、閉塞部材１１の略先端に設けられた突出部１１ａが回動部材３の開口部３ａの内側に設けた係止部３ｂに係止し、係止後、回動部材３と閉塞部材１１とが離脱しないようになっている（図３及び図４参照）。
【００２７】
また、図６に示す５は、本体１内に螺旋状に設けられた案内部材で、案内部材５は、例えば、コイル状に形成されたコイルスプリングであり、このコイルスプリングの一端は本体１の内壁に固定されるもので、案内部材５の先端は、本体１の第２の端部１ｂより突出している。また、案内部材５の固定は、例えば、案内部材５の端部に対応する本体１の部位をかしめたものである。
【００２８】
また、図６に示す６は、本体１に対して移動自在に設けられた筒体で、筒体６は、一部が第２の端部１ｂに設けられた開口部を介して本体１内に没入され、この没入されず残った残部が本体１外にあることとなる。
この筒体６には、被案内部材７が設けられ、被案内部材７は案内部材５に案内される。筒体６の回転、つまり、手による右ネジ方向又は左ネジ方向の回転に伴い、筒体６の被案内部材７は、案内部材５に案内され、筒体１の長手方向に移動する（図７参照）。
なお、被案内部材７は、例えば、図５に示すように、筒体６内を横断するように設けられた横断部材（例えば、ピン）である。
被案内部材７は、図５記載の横断部材（例えば、ピン）に限らず、例えば、図１５（ａ）（ｂ）に示す筒体６の内壁に突出するように設けた突出部７’、７’でも、また、図１６（ａ）（ｂ）に示す筒体６の端部を変形させて、筒体６の内壁に突出するように設けた突出部７”でも良い。なお、筒体６と本体１との分離部には、カバーＫが設けられている。
そして、筒体６を手で右ネジ又は左ネジの方向に回転させると、被案内部材７は、案内部材５の螺旋状の部位に案内されて本体１内を移動して、筒体６が本体１からの飛び出し量を任意に可変することができる。
今、図７（ａ）の状態（長さＬ）から図７（ｂ）の状態（長さｌ）へ移行させるためには、筒体６を手で左ネジの方向へ回転させる。筒体６が回転すると、被案内部材７も回転しながら案内部材５に案内され、突っ張り棒機能付きタオル掛けＴは、図７（ａ）の状態（長さＬ）から図７（ｂ）の状態（長さｌ）へ移行する。
【００２９】
また、図５に示す８は接続部材で、接続部材８の内周部８ａと接続部材８の外周部８ｂとの間で筒体６を挟持するようにして、接続部材８は本体１の外にある筒体６の端部６ｂに取り付けられている。接続部材８の内壁には、突出部８１が設けられ、図１０及び図１３に示すように、突出部８１の一方の面が第１のストッパー部８１ａを、突出部８１の他方の面が第２のストッパー部８１ｂを、それぞれ形成している。
また、図５に示す９は、接続部材８に遊嵌（遊びがある状態で嵌める）して接続部材８の回動を許容すると共に、接続部材８の筒体６の長手方向の移動を許容するように取り付けられた移動部材で、移動部材９は、外周部８ｂの内壁を摺動するもので、移動部材９には、第１の被ストッパー部９ａ（図５、図９及び図１０参照）、第２の被ストッパー部９ｂ（図５及び図１３参照）が、それぞれ設けられている。
第１のストッパー部８１ａは、図１２及び図１３に示すように、第１の被ストッパー部９ａに当接して本体１に向かう側の移動を阻止する。また、第２のストッパー部８１ｂは、図１０に示すように、第２の被ストッパー部９ｂに当接して移動部材９が接続部材８から離脱するのを阻止している。なお、第２の被ストッパー部９ｂは、第１の被ストッパー部９ａより本体１に近い側に位置している。
【００３０】
また、移動部材９には、第２の回動部材３’を介して第２の吸盤２’が回動自在に取り付けられている。
第２の吸盤２’は第２の回動部材３’に第２の軸４’を介して取り付けられ、第２の回動部材３’の開放端部はスカート状となって、押圧時、第２の吸盤２’に当接して第２の吸盤２’を押し付ける第２の吸盤押さえ３１’となっている。
【００３１】
従って、上述した突っ張り棒機能付きタオル掛けＴによれば、図２に示すように、回動自在な第１の吸盤２と回動自在な第２の吸盤２’を壁面Ｃに吸着させ、本体１の長手方向を壁面Ｃに略平行になるように構成してタオル掛けとして利用することができ、また、対向壁面Ａ、Ｂの一方の壁面Ａに回動自在な第１の吸盤２を、対向壁面Ａ、Ｂの他方の壁面Ｂに回動自在な第２の吸盤２’を当接すると共に、本体１及び筒体６の長手方向を対向壁面Ａ、Ｂに略直交になるように構成して突っ張り棒の機能を持たせて、使用勝手を向上させることができる。
なお、突っ張り棒の機能を持たせる際、突っ張り棒の長さを長くしたい場合、例えば、図７（ｂ）の状態（長さｌ）から図７（ａ）の状態（長さＬ）へ移行させるには、筒体６を左ネジの方向へ回転させる。筒体６が回転すると、被案内部材７も回転しながら案内部材５に案内され、第２の吸盤３’が対向壁面Ｂに近づいた場合、第１の吸盤２を対向壁面Ａに当接させると共に、移動部材９を接続部材８から引き出して第２の吸盤２’を対向壁面Ｂに当接させ（図８参照）、例えば、右手で接続部材８を持ち、左手で筒体６を回転させて、つまり、筒体６を移動部材９から分離した状態で筒体６を回転させて、突っ張り棒の長さを長くし、筒体６で接続部材８、移動部材９及び第２の回動部材３’を介して第２の吸盤２’を押すように作用させることができる（図１１参照）。
即ち、移動部材９は、接続部材８に遊嵌して筒体１、接続部材８の回動を許容するため、筒体１、接続部材８が回転しても、第２の吸盤３’は回転しないため、壁面Ａ、Ｂ間に突っ張り棒を容易に設置して使用勝手を向上させることができる。
しかも、案内部材５がコイル状に形成されたコイルスプリングであれば、コイルスプリングの弾性を利用して壁面Ａ、Ｂ間に突っ張り棒を強固に設置することができる（図１１参照）。
【００３２】
なお、上述の実施例にあっては、筒体６の一方の端部に接続部材８、接続部材８に移動部材９、をそれぞれ取り付けるようにしたが、場合により、接続部材８、移動部材９に代えて、本体１の第１の端部１ａに取り付けた閉塞部材１１を筒体６の一方の端部に取り付け、該閉塞部材に第２の回動部材３’を介して第２の吸盤２’を回動自在に取り付けるようにしても良い。
かかる場合の突っ張り棒機能付きタオル掛けＴは、図示しないが、図５記載のもので言えば、接続部材８、移動部材９に代えて、図５記載の閉塞部材１１と同様な閉塞部材を筒体６に取り付けるようにし、該閉塞部材に第２の回動部材３’を、第２の回動部材３’に第２の吸盤２’を、それぞれ取り付けるようにしたもので、図５記載を参考に述べれば、第１の端部と第２の端部を有し、長手方向に長い本体１と、前記第１の端部に、例えば、閉塞部材１１及び第１の回動部材３を介して回動自在に、第１の吸盤２と、一部が前記第２の端部に設けられた開口部を介して本体１内に没入され、この没入されず残った残部が本体１外にあって、本体１に対して移動自在に設けられた筒体６と、本体１の外にある筒体６の端部に、例えば、閉塞部材（図示しないが、図５記載の閉塞部材１１と同様なもの）及び第２の回動部材３’を介して、回動自在に取り付けられた第２の吸盤２’とを備えているものとなる。
即ち、本体１と筒体６で伸縮自在部材を構成し、図１記載と同様に、対向する壁面Ａ、Ｂの距離にあわせて前記伸縮自在部材の長さを調整し、前記伸縮自在部材の一方を対向する一方の面Ａに第１の吸盤２を介して、前記伸縮自在部材の他方を対向する他方の面Ｂに第２の吸盤２’を介して、それぞれ突っ張らせて、突っ張り棒の機能を持たせ、また、図２記載と同様に、第１の吸盤２及び第２の吸盤２’を壁面Ｃの側に回動させて、第１の吸盤２及び第２の吸盤２’を壁面Ｃにそれぞれ吸着させると共に、壁面Ｃと前記伸縮自在部材との間に間隙を設けてタオル掛けの機能を持たせることができることとなる。  
【００３３】
なお、上述の実施例にあっては、第１の吸盤２及び第２の吸盤２’を、共に回動自在に構成したが、本願発明にあっては、これに限らず、回動しない固定的なものでも良い。    即ち、図１７及び図１８に示すように、１は、長手方向に長い本体で、本体１は、図５記載と同様、第１の端部１ａと第２の端部１ｂを有している。２は、図５記載と同様の第１の吸盤である。３０は、第１の取り付け部材で、第１の取り付け部材３０は、一端に第１の吸盤２を取り付けると共に、他端に本体１の第１の端部１ａに装着される第１の装着部３０ａを有する。３１は、図５記載と同様の第１の吸盤押さえで、第１の吸盤押さえ３１は、押圧時、第１の吸盤２に当接して第１の吸盤２を押し付けるものである。
また、４０は、第１’の取り付け部材で、第１’の取り付け部材４０は、第１の取り付け部材３０の外側に接続（接続は、例えば、一体成形で形成される。）され、本体１の第１の端部１ａに装着される第１’の装着部４０ａを有する。
また、６は、図５記載と同様の筒体で、筒体６は、一部が第２の端部１ｂに設けられた開口部を介して本体１内に没入され、この没入されず残った残部が本体１外にあって、本体１に対して移動自在に設けられている。なお、本体１内には、図示しないが、図６記載と同様の螺旋状に設けられた案内部材５が、また、筒体６には、図示しないが、図６記載と同様の案内部材５に案内される被案内部材７、又は、図１５記載と同様の案内部材５に案内される被案内部材７’、又は、図１６記載と同様の案内部材５に案内される被案内部材７”の何れかが、設けられている。Ｋは、図５記載と同様のカバーＫである。
また、２’は、図５記載と同様の第２の吸盤である。
また、３０’は、第２の取り付け部材で、第２の取り付け部材３０’は、一端に第２の吸盤２’を取り付けると共に、他端に本体１の外にある筒体６の端部６ｂに装着される第２の装着部３０’ｂを有する。
また、４０’は、第２’の取り付け部材で、第２’の取り付け部材４０’は、第２の取り付け部材３０’の外側に接続（接続は、例えば、一体成形で形成される。）され、本体１の外にある筒体６の端部６ｂ（端部６ｂは、図１７及び図１８において、図示されていないが、図５記載の端部６ｂと同様のものである。）に装着される第２’の装着部４０’ｂを有する。
なお、第１’の取り付け部材４０は、第１の装着部３０ａが第１の端部１ａに装着された時の、本体１の長手方向に対して、略直角となるように、第１の取り付け部材３０の外側に接続されたものであり、第２’の取り付け部材３０’は、第２の装着部３０’ｂが本体１の外にある筒体６の端部６ｂに装着された時の、筒体６の長手方向に対して、略直角となるように、第２の取り付け部材３０’の外側に接続されたものである。
そのため、図１７に示すように、本体１の第１の端部１ａに第１の装着部３０ａを介して第１の取り付け部材３０を、本体１の外にある筒体６の端部６ｂに第２の装着部３０’ｂを介して第２の取り付け部材３０’を、それぞれ装着して突っ張り棒の機能を持たせる。つまり、対向壁面Ａ、Ｂの一方の壁面Ａに第１の吸盤２を、対向壁面Ａ、Ｂの他方の壁面Ｂに第２の吸盤２’を当接すると共に、本体１及び筒体６の長手方向を対向壁面Ａ、Ｂに略直交になるように構成して突っ張り棒の機能を持たせて、使用勝手を向上させることができる。
また、図１８に示すように、本体１の第１の端部１ａに第１’の装着部４０ａを介して第１’の取り付け部材４０を、本体１の外にある筒体６の端部６ｂに第２’の装着部４０’ｂを介して第２’の取り付け部材４０’を、それぞれ装着してタオル掛けの機能を持たせる。つまり、第１の吸盤２と第２の吸盤２’を壁面Ｃに吸着させ、本体１の長手方向を壁面Ｃに略平行になるように構成してタオル掛けとして利用することができる。
【００３４】
従って、図１７及び図１８記載の突っ張り棒機能付きタオル掛けＴによれば、第１の装着部３０ａを有する第１の取り付け部材３０と第１’の装着部４０ａを有する第１’の取り付け部材４０とが接続され、第２の装着部３０’ｂを有する第２の取り付け部材３０’と第２’の装着部４０’ｂを有する第２’の取り付け部材４０’とが接続され、第１の装着部３０ａと第１’の装着部４０ａとは略直角の位置関係とし、第２の装着部３０’ｂと第２’の装着部３０’とは略直角の位置関係としたため、本体１の第１の端部１ａに第１の装着部３０ａを介して第１の取り付け部材３０を、本体１の外にある筒体６の端部６ｂに第２の装着部３０’ｂを介して第２の取り付け部材３０’を、それぞれ装着して突っ張り棒の機能を持たせることができ（図１７参照）、また、本体１の第１の端部１ａに第１’の装着部４０ａを介して第１’の取り付け部材４０を、本体１の外にある筒体６の端部６ｂに第２’の装着部４０’ｂを介して第２’の取り付け部材４０’を、それぞれ装着してタオル掛けの機能を持たせることができ（図１８参照）、使用勝手を向上させることができる。
【００３５】
なお、上述の実施例にあっては、筒体６に装着された第２の取り付け部材３０’に取り付けられた第２の吸盤２’は、筒体６の長手方向に対して相対的に移動しないが、本願発明にあっては、これに限らず、相対的に移動するように構成しても良い。
即ち、図１９乃至図２３に示すように、１は、長手方向に長い本体で、本体１は、図５記載と同様、第１の端部１ａと第２の端部１ｂを有している。２は、図５記載と同様の第１の吸盤である。
３０は、第１の取り付け部材で、第１の取り付け部材３０は、一端に第１の吸盤２を取り付けると共に、他端に本体１の第１の端部１ａに装着される第１の装着部３０ａを有する。３１は、図５記載と同様の第１の吸盤押さえで、第１の吸盤押さえ３１は、押圧時、第１の吸盤２に当接して第１の吸盤２を押し付けるものである。
また、４０は、第１’の取り付け部材で、第１’の取り付け部材４０は、第１の取り付け部材３０の外側に接続（接続は、例えば、一体成形で形成される。）され、本体１の第１の端部１ａに装着される第１’の装着部４０ａを有する。
また、６は、図５記載と同様の筒体で、筒体６は、一部が第２の端部１ｂに設けられた開口部を介して本体１内に没入され、この没入されず残った残部が本体１外にあって、本体１に対して移動自在に設けられている。なお、本体１内には、図示しないが、図６記載と同様の螺旋状に設けられた案内部材５が、また、筒体６には、図示しないが、図６記載と同様の案内部材５に案内される被案内部材７、又は、図１５記載と同様の案内部材５に案内される被案内部材７’、又は、図１６記載と同様の案内部材５に案内される被案内部材７”の何れかが、設けられている。Ｋは、図５記載と同様のカバーＫである。
また、２’は、図５記載と同様の第２の吸盤である。
また、３０’は、第２の取り付け部材で、第２の取り付け部材３０’は、本体１の外にある筒体６の端部６ｂ（端部６ｂは、図１９乃至図２３において、図示されていないが、図５記載の端部６ｂと同様のものである。）に装着される第２の装着部３０’ｂを有する。３１’は、図５記載と同様の第２の吸盤押さえで、第２の吸盤押さえ３１’は、押圧時、第２の吸盤２’に当接して第２の吸盤２’を押し付けるものである。
また、９は、移動部材で、移動部材９は、一端を第２の取り付け部材３０’に移動自在に取り付けられ、他端を第２の吸盤２’を取り付けている。なお、第２の取り付け部材３０’内には、突出部３０’ａが設けられ、図２０及び図２２に示すように、突出部３０’ａの一方の面が第１のストッパー部３０’ａＡを、突出部３０’ａの他方の面が第２のストッパー部３０’ａＢを、それぞれ形成している。
また、移動部材９は、第２の取り付け部材３０’の外周部３０’ｂの内壁を摺動するもので、移動部材９には、第１の被ストッパー部９ａ（図２０参照）、第２の被ストッパー部９ｂ（図２２参照）が、それぞれ設けられている。
第１のストッパー部３０’ａＡは、図２２に示すように、第１の被ストッパー部９ａ（図２０参照）に当接して本体１に向かう側の移動を阻止する。つまり、移動部材９の移動方向は、第２の装着部３０’ｂが筒体６の端部６ｂ（端部６ｂは、図１９乃至図２３において、図示されていないが、図５記載の端部６ｂと同様のものである。）に装着された時の、筒体６の長手方向であり、移動部材９の筒体６方向へ所定距離の移動は第１のストッパー部（ストッパー）３０’ａＡにより阻止される。なお、第２のストッパー部３０’ａＢは、図２０に示すように、第２の被ストッパー部９ｂに当接して移動部材９が第２の取り付け部材３０’から離脱するのを阻止している。なお、第２の被ストッパー部９ｂは、第１の被ストッパー部９ａより本体１に近い側に位置している。
また、４０’は、第２’の取り付け部材で、第２’の取り付け部材４０’は、第２の取り付け部材３０’の外側に接続（接続は、例えば、一体成形で形成される。）され、本体１の外にある筒体６の端部６ｂに装着される第２’の装着部４０’ｂを有する。
なお、第１’の取り付け部材４０は、第１の装着部３０ａが第１の端部１ａに装着された時の、本体１の長手方向に対して、略直角となるように、第１の取り付け部材３０の外側に接続されたものであり、第２’の取り付け部材３０’は、第２の装着部３０’ｂが本体１の外にある筒体６の端部６ｂに装着された時の、筒体６の長手方向に対して、略直角となるように、第２の取り付け部材３０’の外側に接続されたものである。
そのため、図１９及び図２１に示すように、本体１の第１の端部１ａに第１の装着部３０ａを介して第１の取り付け部材３０を、本体１の外にある筒体６の端部６ｂに第２の装着部３０’ｂを介して第２の取り付け部材３０’を、それぞれ装着して突っ張り棒の機能を持たせる。つまり、対向壁面Ａ、Ｂの一方の壁面Ａに第１の吸盤２を、対向壁面Ａ、Ｂの他方の壁面Ｂに第２の吸盤２’を当接すると共に、本体１及び筒体６の長手方向を対向壁面Ａ、Ｂに略直交になるように構成して突っ張り棒の機能を持たせて、使用勝手を向上させることができる。
なお、筒体６を回転させ（被案内部材７も回転しながら案内部材５に案内され）、第２の吸盤２’が対向壁面Ｂに近づいた場合、第１の吸盤２を対向壁面Ａに当接させると共に、移動部材９を第２’の取り付け部材３０’から引き出して第２の吸盤２’を対向壁面Ｂに当接させ（図１９参照）、例えば、右手で第２’の取り付け部材３０’を持ち、左手で筒体６を回転させて、つまり、筒体６を移動部材９から分離した状態で筒体６を回転させて、突っ張り棒の長さを長くし、筒体６で第２’の取り付け部材３０’、移動部材９及び第２の回動部材３’を介して第２の吸盤２’を押すように作用させることができる（図２０参照）。
また、図２３に示すように、本体１の第１の端部１ａに第１’の装着部４０ａを介して第１’の取り付け部材４０を、本体１の外にある筒体６の端部６ｂに第２’の装着部４０’ｂを介して第２’の取り付け部材４０’を、それぞれ装着してタオル掛けの機能を持たせる。つまり、第１の吸盤２と第２の吸盤２’を壁面Ｃに吸着させ、本体１の長手方向を壁面Ｃに略平行になるように構成してタオル掛けとして利用することができる。
【００３６】
従って、図１９乃至図２３記載の突っ張り棒機能付きタオル掛けＴによれば、第１の装着部３０ａを有する第１の取り付け部材３０と第１’の装着部４０ａを有する第１’の取り付け部材４０とが接続され、第２の装着部３０’ｂを有する第２の取り付け部材３０’と第２’の装着部４０’ｂを有する第２’の取り付け部材４０’とが接続され、第１の装着部３０ａと第１’の装着部４０ａとは略直角の位置関係とし、第２の装着部３０’ｂと第２’の装着部３０’とは略直角の位置関係としたため、本体１の第１の端部１ａに第１の装着部３０ａを介して第１の取り付け部材３０を、本体１の外にある筒体６の端部６ｂに第２の装着部３０’ｂを介して第２の取り付け部材３０’を、それぞれ装着して突っ張り棒の機能を持たせることができ（図２１参照）、また、本体１の第１の端部１ａに第１’の装着部４０ａを介して第１’の取り付け部材４０を、本体１の外にある筒体６の端部６ｂに第２’の装着部４０’ｂを介して第２’の取り付け部材４０’を、それぞれ装着してタオル掛けの機能を持たせることができ（図２３参照）、使用勝手を向上させることができる。
特に、突っ張り棒の機能を持たせる際、対向壁面Ａ、Ｂの一方の壁面Ａに第１の吸盤２を当接させ、対向壁面Ａ、Ｂの他方の壁面Ｂに第２の吸盤２’が当接するように移動部材９を移動させ、移動後、筒体６が移動部材９に近づくように手で回転させて筒体６に取り付けられた第２の取り付け部材３０’を介して移動部材９を押すように作用させて、対向壁面Ａ、Ｂ間に突っ張らせることができる。
【００３７】
次に示す実施例を図２４乃至図２６を参照して説明する。
図２４に示す１は、図５記載と同様、第１の端部１ａと第２の端部１ｂを有した長手方向に長い本体である。
第１の吸盤２は、第１の端部１ａに回動自在に取り付けられている。詳述すれば、本体１の第１の端部１ａに、図５記載と同様、例えば、閉塞部材（取り付け部材）１１、第１の回動部材３を介して第１の吸盤２が回動自在に取り付けられている。３１は、図５記載と同様、第１の吸盤押さえである。
６は筒体で、筒体６の一部が本体１の第２の端部１ｂに設けられた開口部を介して本体１内に没入され、この没入されず残った残部が本体１外にある。
そして、本体１の外にある筒体６の端部に、第２の吸盤２”が回動自在に取り付けられている。詳述すれば、筒体６の端部に、例えば、閉塞部材（取り付け部材）１１”、第２の回動部材３”を介して第２の吸盤２”が回動自在に取り付けられている。３１”は、図５記載と同様、第２の吸盤押さえである。
５０は、本体１の外周であって、第２の端部１ｂの近傍に回転自在に取り付けられると共に、内壁に雌ネジを有する回転体である。
回転体５０は、部材５１に対して遊嵌して回転自在に支持されている。部材５１は、本体１に対して接着等により固着され一体化されている。
６０は、筒体６の外周に遊嵌して取り付けられ、回転体５０の内壁に形成された雌ねじに螺合する雄ネジ６０ａを有した雄ネジ体である。雄ネジ体６０は略筒形状で、略筒形状の外周に雄ネジ６０ａが形成されている。
７０はストッパーで、ストッパー７０は、雄ネジ体６０に取り付けられ、ストッパー７０の先端が筒体６の外周に当接して雄ネジ体６０の移動を規制するようになっている。
【００３８】
従って、２４乃至図２６記載の突っ張り棒機能付きタオル掛けＴによれば、図２４に示すように、突っ張り棒の機能を持たせる際、対向壁面Ａ、Ｂの一方の壁面Ａに回動自在な第１の吸盤２を当接させ、対向壁面Ａ、Ｂの他方の壁面Ｂに回動自在な第２の吸盤２”が当接するように本体１と筒体６とで長さを調節する。
調節後、ストッパー７０の摘みを手で回し、ストッパー７０の先端を筒体６の外周に当接させて、雄ネジ体６０の移動を規制させる（図２５参照）。つまり、筒体６と雄ネジ体６０とを固定（一体化）させる。
固定後、回転体５０を第２の吸盤２”に近づくように手で回転させて、対向壁面Ａ、Ｂ間に突っ張らせて、突っ張り棒の機能を持たせて、使用勝手を向上させることができる。
なお、図２４に破線で示すように、第１の吸盤２と第２の吸盤２”を壁面に向かうように回動させ、回動後、壁面に吸着させて、タオル掛けの機能を果たすことができる。
【００３９】
次に示す実施例を図２７乃至図３０を参照して説明する。
図２７に示す１は、図５記載と同様、第１の端部１ａと第２の端部１ｂを有した長手方向に長い本体である。
第１の吸盤２は、第１の端部１ａに回動自在に取り付けられている。詳述すれば、本体１の第１の端部１ａに、図５記載と同様、例えば、閉塞部材（取り付け部材）１１、第１の回動部材３を介して第１の吸盤２が回動自在に取り付けられている（図２７参照）。３１は、図５記載と同様、第１の吸盤押さえである。
６は筒体で、筒体６の一部が本体１の第２の端部１ｂに設けられた開口部を介して本体１内に没入され、この没入されず残った残部が本体１外にある。
そして、図３０に示すように、本体１の外にある筒体６の端部に外周に雄ネジ８０ａを有する雄ネジ部材８０が装着されている。また、９０は雄ネジ部材８０の雄ネジ８０ａに螺合する雌ネジを内周に有し、先端に突出部９０ａを設けた回転部材である。
取付部材３’には、先端（壁面Ｂの側）に第２の吸盤２’を回動自在に取り付けられている。この取付部材３’の後端（筒体６の側）には、突出部９０ａの回転を許容する遊嵌部３’ａが設けられている。この遊嵌部３’ａに突出部９０ａが回転可能に遊嵌している。
また、図２８及び図２９に示すように、Ｒは、本体１と筒体６とを連結する連結手段で、連結手段Ｒは、例えば、筒体６の端面に半円柱の直径部をずらした形状の係止部Ｃ１と、この係止部Ｃ１の外周に位置する断面略Ｃ形状の部材Ｃ２とからなり、図２９の紙面から見て反時計回りに、係止部Ｃ１を回転させると、係止部Ｃ１の部位Ｃ１ａが部材Ｃ２の段差Ｃ２ａを本体１の内壁を押圧し、筒体６と本体１とは係止部Ｃ１を介して摩擦結合により連結される。
この連結は、図２９の紙面から見て時計回りに、係止部Ｃ１を回転させることにより、解除される。
【００４０】
従って、２７乃至図３０記載の突っ張り棒機能付きタオル掛けＴによれば、図２７に示すように、突っ張り棒の機能を持たせる際、対向壁面Ａ、Ｂの一方の壁面Ａに回動自在な第１の吸盤２を当接させ、対向壁面Ａ、Ｂの他方の壁面Ｂに回動自在な第２の吸盤２’が当接するように本体１と筒体６とで長さを調節する。
調節後、本体１と筒体６とを相対的に回転させ、連結手段Ｒにより、本体１と筒体６とを連結させる（図２９参照)。その後、回転部材９０を第２の吸盤２’に近づくように回転させて、対向壁面Ａ、Ｂ間に突っ張らせることができる（図２７及び図３０参照）。
そして、本体１と筒体６とを固定（一体化）させた後、回転部材９０を第２の吸盤２’に近づくように回転させて、対向壁面Ａ、Ｂ間に突っ張らせて、突っ張り棒の機能を持たせて、使用勝手を向上させることができる。
なお、回転部材９０を回転させても、突出部９０ａは遊嵌部３’ａと遊嵌されているため、突出部９０ａの筒体６の長手方向の移動を取付部材３’に伝達するものの、突出部９０ａの回転は、取付部材３’に伝達されない。
また、図２７に破線で示すように、第１の吸盤２と第２の吸盤２’を壁面に向かうように回動させ、回動後、壁面に吸着させて、タオル掛けの機能を果たすことができる。
【符号の説明】
【００４１】
Ｔ      突っ張り棒機能付きタオル掛け
１      本体
２      第１の吸盤
２’    第２の吸盤
５      案内部材
６      筒体
８      接続部材
９      移動部材
【図１】
2011183028.tif 000003
【図２】
2011183028.tif 000004
【図３】
2011183028.tif 000005
【図４】
2011183028.tif 000006
【図５】
2011183028.tif 000007
【図６】
2011183028.tif 000008
【図７】
2011183028.tif 000009
【図８】
2011183028.tif 000010
【図９】
2011183028.tif 000011
【図１０】
2011183028.tif 000012
【図１１】
2011183028.tif 000013
【図１２】
2011183028.tif 000014
【図１３】
2011183028.tif 000015
【図１４】
2011183028.tif 000016
【図１５】
2011183028.tif 000017
【図１６】
2011183028.tif 000018
【図１７】
2011183028.tif 000019
【図１８】
2011183028.tif 000020
【図１９】
2011183028.tif 000021
【図２０】
2011183028.tif 000022
【図２１】
2011183028.tif 000023
【図２２】
2011183028.tif 000024
【図２３】
2011183028.tif 000025
【図２４】
2011183028.tif 000026
【図２５】
2011183028.tif 000027
【図２６】
2011183028.tif 000028
【図２７】
2011183028.tif 000029
【図２８】
2011183028.tif 000030
【図２９】
2011183028.tif 000031
【図３０】
2011183028.tif 000032